(57)【要約】【課題】既に保存済みの管理情報が消失されないようにする。【解決手段】第１の音データＡ１を管理するための管理情報（第１管理情報）Ｂ１と、第２の音データＡ２を管理するための管理情報（第２管理情報）Ｂ２とは、同じセクタではなく別々のセクタに保存されるので、第２管理情報Ｂ２を保存する際に該第２管理情報Ｂ２が何らかの理由で消失されたとしても、保存済みの第１管理情報Ｂ１は消失されることは無い。つまり、第１の音データＡ１の録音が終了し、その後のデータ（つまり、第２の音データＡ２）を録音している最中にトラブルがあった場合、保存しようとする管理情報（つまり、第２管理情報Ｂ２）は消失されて第２の音データＡ２の再生は出来なくなるものの、第１管理情報Ｂ１の消失は防止することができ、第１の音データＡ１の再生を確保できる。【選択図】図１
2010205356.tif 000002
【特許請求の範囲】
【請求項１】
記録媒体のデータ領域のクラスタに第１の音データを保存するステップと、
該第１の音データを管理するための第１管理情報を、前記記録媒体の管理領域における少なくとも１つのセクタに保存するステップと、
前記データ領域であって、前記第１の音データが保存されているクラスタ以外のクラスタに第２の音データを保存するステップと、
該第２の音データを管理するための第２管理情報を、前記管理領域における少なくとも１つのセクタであって、前記第１管理情報が保存されているセクタ以外のセクタに保存するステップと、
を備えたことを特徴とするデジタル録音方法。
【請求項２】
第１の音データ及び第２の音データを記録媒体のデータ領域に順次保存すると共に、該第１の音データを管理するための第１管理情報及び前記第２の音データを管理するための第２管理情報を前記記録媒体の管理領域に順次保存するデジタル録音装置において、
前記第１管理情報及び前記第２管理情報を別々のセクタに保存する、
ことを特徴とするデジタル録音装置。
【発明の詳細な説明】
【技術分野】
【０００１】
本発明は、記録媒体にデジタル方式で録音するデジタル録音方法、及びデジタル録音装置に関する。
【背景技術】
【０００２】
近年、ＣＤ−ＲＯＭやメモリーカードやハードディスク等の記録媒体にデジタル方式で録音するデジタル録音方法及びデジタル録音装置が広く使用されている（例えば、特許文献１参照。）。
【０００３】
このような記録媒体にはＦＡＴ（Ｆｉｌｅ  Ａｌｌｏｃａｔｉｏｎ  Ｔａｂｌｅｓ）ファイルシステムが広く利用されていて、
・  音データを保存するデータ領域、及び
・  管理情報（ＦＡＴ情報）を保存するための管理領域
が形成されている。
【０００４】
そして、録音は以下の手順により行われていた。すなわち、
(1)   図４(a) に示すように、第１の音データＡ１をデータ領域（図５の符号１２０参照）の所定数のクラスタＣＡ１１，ＣＡ１２，…に保存開始
(2)   同図(b) (c) に示すように、該第１の音データＡ１を管理するための管理情報（第１管理情報）Ｂ１を、管理領域（図５の符号１２１参照）中の１つのセクタＣＢに保存
(3)   第１の音データＡ１の保存終了
(4)   図４(a) に示すように、第２の音データＡ２をデータ領域の所定数のクラスタＣＡ２１，ＣＡ２２，…に保存開始
(5)   前記管理領域のセクタＣＢから前記第１管理情報Ｂ１を読み出し、第２の音データＡ２を管理するための管理情報（第２管理情報）Ｂ２を追加
(6)   記録手段（図５の符号１０３参照）がそれらの管理情報Ｂ１，Ｂ２を作業用メモリー（同図の符号１０４参照）に一時保存
(7)   前記セクタＣＢに保存してある前記第１管理情報Ｂ１を消去
(8)   作業用メモリー１０４に一時保存してある管理情報Ｂ１，Ｂ２を前記セクタＣＢに保存
【先行技術文献】
【特許文献】
【０００５】
【特許文献１】特開平０７−２３５１７０号公報
【発明の概要】
【発明が解決しようとする課題】
【０００６】
ところで、従来の録音方法及び録音装置１００では、複数の管理情報Ｂ１，Ｂ２が同じセクタＣＢ内に保存されることとなるが、そのため、上記(5) (6) に示すように、既に保存してある管理情報Ｂ１をセクタＣＢから読み出して作業用メモリー１０４に保存し、該セクタＣＢの保存内容を消去するといった操作が行われていた。しかしながら、上記(7)
と(8) との間のタイミングで電源が落ちたりしてしまうと、作業用メモリー１０４に一時保存されてある管理情報Ｂ１，Ｂ２が消失されてしまい、第１及び第２の音データＡ１，Ａ２の双方を再生できなくなるという問題があった。つまり、第１の音データＡ１の記録媒体１０２への保存が終了し、その後のデータ（つまり、第２の音データＡ２）を録音している最中にトラブルがあると、保存しようとする管理情報（つまり、第２管理情報Ｂ２）のみならず保存済みの管理情報（つまり、第１管理情報Ｂ１）までもが消失されてしまい、その結果、録音中の音データ（つまり、第２の音データＡ２）のみならず録音済みの音データ（つまり、第１の音データＡ１）の再生ができなくなるという問題があった。
【０００７】
本発明は、上述の問題を解消することのできるデジタル録音方法及びデジタル録音装置を提供することを目的とするものである。
【課題を解決するための手段】
【０００８】
請求項１に係る発明は、図１に例示するものであって、記録媒体のデータ領域のクラスタ（ＣＡ１１，ＣＡ１２，…）に第１の音データ（Ａ１）を保存するステップと、
該第１の音データ（Ａ１）を管理するための第１管理情報（Ｂ１）を、前記記録媒体の管理領域における少なくとも１つのセクタ（ＣＢ１１，ＣＢ１２）に保存するステップと、
前記データ領域であって、前記第１の音データが保存されているクラスタ以外のクラスタ（ＣＡ２１，ＣＡ２２，…）に第２の音データ（Ａ２）を保存するステップと、
該第２の音データ（Ａ２）を管理するための第２管理情報（Ｂ２）を、前記管理領域における少なくとも１つのセクタであって、前記第１管理情報が保存されているセクタ以外のセクタ（ＣＢ２１，ＣＢ２２）に保存するステップと、を備えたことを特徴とする。
【０００９】
請求項２に係る発明は、図２に例示するものであって、第１の音データ（Ａ１）及び第２の音データ（Ａ２）を記録媒体（２）のデータ領域（２０）に順次保存すると共に、該第１の音データを管理するための第１管理情報（Ｂ１）及び前記第２の音データを管理するための第２管理情報（Ｂ２）を前記記録媒体（２）の管理領域（２１）に順次保存するデジタル録音装置において、
前記第１管理情報（Ｂ１）及び前記第２管理情報（Ｂ２）を別々のセクタに保存することを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１及び２に係る発明によれば、前記第１管理情報と前記第２管理情報とは別々のセクタに保存されるので、第２管理情報を保存する際に該第２管理情報が何らかの理由で消失されたとしても、保存済みの第１管理情報は消失されることは無い。つまり、第１の音データの記録媒体への保存が終了し、その後のデータ（つまり、第２の音データ）を録音している最中にトラブルがあった場合、保存しようとする管理情報（つまり、第２管理情報）は消失されて第２の音データの再生は出来なくなるものの、第１管理情報の消失は防止することができ、第１の音データの再生を確保できる。
【図面の簡単な説明】
【００１２】
【図１】図１は、本発明に係るデジタル録音方法の一例を示す模式図である。
【図２】図２は、本発明に係るデジタル録音装置の構成の一例を示すブロック図である。
【図３】図３は、本発明に係るデジタル録音方法の他の例を示す模式図である。
【図４】図４は、従来のデジタル録音方法の一例を示す模式図である。
【図５】図５は、従来のデジタル録音装置の構成の一例を示すブロック図である。
【発明を実施するための形態】
【００１３】
以下、図１乃至図３に沿って、本発明の実施の形態について説明する。
【００１４】
本発明に係るデジタル録音方法は、
・  図１(a) に示すように、記録媒体のデータ領域（具体的には、データ領域中の所定数のクラスタＣＡ１１，ＣＡ１２，…）に第１の音データＡ１を保存するステップと、
・  同図(b) (c)
に示すように、前記記録媒体の管理領域における少なくとも１つのセクタＣＢ１１，ＣＢ１２に、前記第１の音データＡ１を管理するための管理情報（以下、“第１管理情報”とする）Ｂ１を保存するステップと、
・  前記データ領域（正確には、前記第１の音データＡ１が保存されているクラスタ以外のクラスタＣＡ２１，ＣＡ２２，…）に第２の音データＡ２を保存するステップと、
・  前記管理領域における少なくとも１つのセクタであって、前記第１管理情報Ｂ１が保存されているセクタＣＢ１１，ＣＢ１２以外のセクタＣＢ２１，ＣＢ２２に、前記第２の音データＡ２を管理するための管理情報（以下、“第２管理情報”とする）Ｂ２を保存するステップと、
を備えたことを特徴とする。
【００１５】
また、本発明に係るデジタル録音装置は、図２に符号１で例示するものであって、
・  データ領域２０及び管理領域２１を有する記録媒体２と、
・  第１の音データＡ１及び第２の音データＡ２を前記データ領域２０に順次保存すると共に、前記第１管理情報Ｂ１及び前記第２管理情報Ｂ２を前記管理領域２１に順次保存する記録手段３と、
を備え、該記録手段３は、前記第１管理情報Ｂ１及び前記第２管理情報Ｂ２を別々のセクタに記録することを特徴とする。
【００１６】
本発明によれば、前記第１管理情報Ｂ１と前記第２管理情報Ｂ２とは、従来のように同じセクタにではなくて別々のセクタに保存されるので、第２管理情報Ｂ２を保存する際に該第２管理情報Ｂ２が何らかの理由で消失されたとしても、保存済みの第１管理情報Ｂ１は消失されることは無い。つまり、第１の音データＡ１の記録媒体２への保存が終了し、その後のデータ（つまり、第２の音データＡ２）を録音している最中にトラブルがあった場合、保存しようとする管理情報（つまり、第２管理情報Ｂ２）は消失されて第２の音データＡ２の再生は出来なくなるものの、第１管理情報Ｂ１の消失は防止することができ、第１の音データＡ１の再生を確保できる。
【００１７】
なお、図１に示す例では、１つの管理情報は２つのセクタで保存するように構成されているが、もちろんこれに限られるものではなく、１単位（１回の書き込み単位の意。以下同じ）の管理情報を１つのセクタで保存するようにしても、或いは、１単位の管理情報を３つ以上のセクタで保存するようにしても良い（図４参照）。
【符号の説明】
【００１８】
１          デジタル録音装置
２          記録媒体
２０        データ領域
２１        管理領域
Ａ１          第１の音データ
Ａ２          第２の音データ
Ｂ１          第１管理情報
Ｂ２          第２管理情報
ＣＡ１１，ＣＡ１２，…          クラスタ
【図１】
2010205356.tif 000003
【図２】
2010205356.tif 000004
【図３】
2010205356.tif 000005
【図４】
2010205356.tif 000006
【図５】
2010205356.tif 000007